(57)【要約】【課題】  製造コストが安く、指先に怪我等をしている人でも使用可能であり、且つ、ストローの部材などに貼り付けて使用することも可能な操作具等を提供する。【解決手段】  導電素材で形成される静電容量方式タッチパネルの操作具であり、操作具を指または物に固定するための固定部と、タッチパネルに接触するための接触部とを備え、接触部は静電容量方式のタッチパネルが感知可能な面積を有する。その面積は、接触部がタッチパネルに触れた位置に、静電気容量の変化を起こすことが可能な面積である。また、固定部は、操作具を指または物に固定した際に、接触部を、指または物の端部から突出させることが可能な位置に設けられている。【選択図】図１
2017084316.tif 000002
【特許請求の範囲】
【請求項１】
静電容量方式のタッチパネルの操作具であり、
前記タッチパネルに接触するための接触部と、
前記接触部との間で導電を可能にする導電部と、前記操作具を被固定物に固定するための固定部とからなる本体部と、
を備え、
前記接触部は、導電素材で形成され、且つ、前記タッチパネルが感知可能な面積を有することを特徴とする静電容量方式のタッチパネルの操作具。
【請求項２】
前記面積は、
前記タッチパネルに静電気容量の変化を起こすことが可能な面積であることを特徴とする請求項１記載の静電容量方式のタッチパネルの操作具。
【請求項３】
前記固定部は、
前記操作具を被固定物に固定した際に、前記接触部を、前記被固定物の端部から突出させることが可能な位置に設けられていることを特徴とする請求項１記載の静電容量方式のタッチパネルの操作具。
【請求項４】
前記接触部の幅は、前記本体部の幅より狭く形成されていることを特徴とする請求項１記載の静電容量方式のタッチパネルの操作具。
【請求項５】
前記本体部と前記接触部とは同一の素材で形成されることを特徴とする請求項１記載の静電容量方式のタッチパネルの操作具。
【請求項６】
前記本体部は、被固定物に巻き付けることが可能な位置に前記固定部を有することを特徴とする請求項１記載の静電容量方式のタッチパネルの操作具。
【請求項７】
前記本体部は、可撓性の素材で形成され、
前記本体部を指または棒状部材に巻き付ける方向に湾曲させることが可能であることを特徴とする請求項１記載の静電容量方式のタッチパネルの操作具。
【請求項８】
前記接触部は、前記接触部の表面方向または裏面方向に反り返ることが可能であることを特徴とする請求項１記載の静電容量方式のタッチパネルの操作具。
【請求項９】
前記接触部は、可撓性のある素材で形成され、
前記タッチパネルに押し当てられた際に、前記面積をタッチパネルに接触させることが可能であることを特徴とする請求項１記載の静電容量方式のタッチパネルの操作具。
【請求項１０】
前記被固定物とは、指または棒状部材または筒状部材またはリング状の部材であることを特徴とする請求項１記載の静電容量方式のタッチパネルの操作具。
【請求項１１】
前記被固定物とは、
手袋の隙間を貫通して前記導電部と前記手袋の中の指との間で導電させることが可能な導電部材であることを特徴とする請求項１記載の静電容量方式のタッチパネルの操作具。
【請求項１２】
前記貫通部材は、前記手袋の隙間を貫通して前記本体部と前記指との間で導電させることを可能にする長さまたは細さを備えることを特徴とする請求項１１記載の静電容量方式のタッチパネルの操作具。
【請求項１３】
静電容量方式のタッチパネルを操作するスタイラスペンであり、
筒状部材と、
前記筒状部材の端部から突出するものであって、前記タッチパネルに接触するための接触部と、
前記筒状部材の握り部と前記接触部とを導電可能にする導電部と、
を備え、
前記接触部は、導電素材で形成され、且つ、前記タッチパネルが感知可能な面積を有することを特徴とするスタイラスペン。
【請求項１４】
静電容量方式のタッチパネルを操作するスタイラスペンであり、
リング状部材と、
前記リング状部材を付けた指の端部から突出するものであって、前記タッチパネルに接触するための接触部と、
前記指と前記接触部とを導電可能にする導電部と、
を備え、
前記接触部は、導電素材で形成され、且つ、前記タッチパネルが感知可能な面積を有することを特徴とするスタイラスペン。
【請求項１５】
静電容量方式のタッチパネルを操作するスタイラスペンであり、
手袋の隙間を貫通する貫通部材と、
前記手袋の端部から突出する部分であって、前記タッチパネルに接触するための接触部と、
前記貫通部材と前記接触部とを導電可能にする導電部と、
を備え、
前記接触部は、導電素材で形成され、且つ、前記タッチパネルが感知可能な面積を有し、
前記貫通部材は、前記導電部と前記手袋の中の指との間で導電可能にする導電部材である
ことを特徴とするスタイラスペン。
【請求項１６】
静電容量方式のタッチパネルの操作具を被固定物に固定することにより製造されるスタイラスペンの製造方法であり、
前記操作具は、
前記タッチパネルに接触するための接触部と、
前記接触部との間で導電を可能にする導電部と、前記操作具を被固定物に固定するための固定部とからなる本体部と、
を備え、
前記接触部は、導電素材で形成され、且つ、前記タッチパネルが感知可能な面積を有し、
前記接触部を、前記被固定部の端部から突出するように前記被固定物に固定することを特徴とするスタイラスペンの製造方法。
【請求項１７】
静電容量方式のタッチパネルの操作具を収納することが可能な端末機器の保護ケースであり、
前記操作具は、
前記タッチパネルに接触するための接触部と、
前記接触部との間で導電を可能にする導電部と、前記操作具を被固定物に固定するための固定部とからなる本体部と、
を備え、
前記接触部は、導電素材で形成され、且つ、前記タッチパネルが感知可能な面積を有し、
前記保護ケースは、前記操作具を収納可能な凹部または空間を有することを特徴とする保護ケース。
【請求項１８】
静電容量方式のタッチパネルの操作具を収納することが可能な端末機器用のストラップであり、
前記操作具は、
前記タッチパネルに接触するための接触部と、
前記接触部との間で導電を可能にする導電部と、前記操作具を被固定物に固定するための固定部とからなる本体部と、
を備え、
前記接触部は、導電素材で形成され、且つ、前記タッチパネルが感知可能な面積を有し、
前記ストラップは、前記操作具を収納可能な凹部または空間を有することを特徴とするストラップ。
【請求項１９】
静電容量方式のタッチパネルの操作具であり、
前記タッチパネルに接触するための接触部と、
手袋の隙間を貫通する貫通部材と、
を備え、
前記接触部は、導電素材で形成され、且つ、前記タッチパネルが感知可能な面積を有し、
前記貫通部材は、前記接触部と前記手袋の中の指との間で導電させることが可能な導電素材で形成されていることを特徴とする静電容量方式のタッチパネルの操作具。
【発明の詳細な説明】
【技術分野】
【０００１】  本発明は、スマートフォンなどで利用されている静電容量方式のタッチパネルの操作具、およびその操作具を収納可能な携帯端末保護ケース・ストラップ、スタイラスペンとその製造方法に関するものである。
【背景技術】
【０００２】  スマートフォンやタブレット端末を操作するためのスタイラスペンや操作具が多数提供されている。例えば、特許文献１は端末のタッチパネルをクリーニングしながら操作できる操作具である。
【先行技術文献】
【特許文献】
【０００３】
【特許文献１】  特許第４９５０３４９号
【発明の概要】
【発明が解決しようとする課題】
【０００４】  しかし、特許文献１の発明は、タッチパネルをクリーニングすることが目的であるため、油膜除去機能を有するクリーナー素材を使用する必要があり、製造コストが高くなるという問題があった。
また、特許文献１の発明は、指先に貼り付けることを前提とした操作具であるため、指先に怪我をしている人や、爪を伸ばして爪に装飾を施している人などは使用できないという問題があった。更に、指先に貼り付けることが前提なので、ストローなどの部材に貼り付けて使用することには適していないという問題があった。【０００５】  本発明は、このような課題を解決するためのものであり、製造コストが安く、指先が使えない人でも使用可能であり、且つ、ストローの部材などに貼り付けて使用することも可能な操作具を提供するものである。
【課題を解決するための手段】
【０００６】  上記課題を解決するため、本発明では、次の静電容量方式タッチパネルの操作具、スタイラスペン、保護ケース、ストラップが提供される。
（１）静電容量方式のタッチパネルの操作具であり、前記タッチパネルに接触するための接触部と、前記接触部との間で導電を可能にする導電部と、前記操作具を被固定物に固定するための固定部とからなる本体部と、を備え、前記接触部は、導電素材で形成され、且つ、前記タッチパネルが感知可能な面積を有する静電容量方式のタッチパネルの操作具。
（２）前記面積は、前記タッチパネルに静電気容量の変化を起こすことが可能な面積である。
（３）前記固定部は、前記操作具を被固定物に固定した際に、前記接触部を、前記被固定物の端部から突出させることが可能な位置に設けられている。
（４）前記接触部の幅は、前記本体部の幅より狭く形成されている。
（５）前記本体部は、被固定物に巻き付けることが可能な位置に前記固定部を有する。
（６）前記本体部と前記接触部とは同一の素材で形成されることを特徴とする請求項１記載の静電容量方式のタッチパネルの操作具。
（７）前記本体部は、可撓性のある素材で形成され、前記本体部を指または棒状部材に巻き付ける方向に湾曲させることが可能である。
（８）前記接触部は、前記接触部の表面方向または裏面方向に反り返ることが可能である。
（９）前記接触部は、可撓性のある素材で形成され、前記タッチパネルに押し当てられた際に、前記面積をタッチパネルに接触させることが可能である。
（１０）前記被固定物とは、指または棒状部材または筒状部材またはリング状の部材である。
（１１）前記被固定物とは、手袋の隙間を貫通して前記導電部と前記手袋の中の指との間で導電させることが可能な部材である。
（１２）前記貫通部材は、前記手袋の隙間を貫通して前記本体部と前記指との間で導電させることを可能にする長さまたは細さを備える。
（１３）静電容量方式のタッチパネルを操作するスタイラスペンであり、筒状部材と、前記筒状部材の端部から突出するものであって、前記タッチパネルに接触するための接触部と、前記筒状部材の握り部と前記接触部とを導電可能にする導電部と、を備え、前記接触部は、導電素材で形成され、且つ、前記タッチパネルが感知可能な面積を有する。
（１４）静電容量方式のタッチパネルを操作するスタイラスペンであり、リング状部材と、前記リング状部材を付けた指の端部から突出するものであって、前記タッチパネルに接触するための接触部と、前記指と前記接触部とを導電可能にする導電部と、を備え、前記接触部は、導電素材で形成され、且つ、前記タッチパネルが感知可能な面積を有する。
（１５）静電容量方式のタッチパネルを操作するスタイラスペンであり、手袋の隙間を貫通する貫通部材と、前記手袋の端部から突出する部分であって、前記タッチパネルに接触するための接触部と、前記貫通部材と前記接触部とを導電可能にする導電部と、を備え、前記接触部は、導電素材で形成され、且つ、前記タッチパネルが感知可能な面積を有し、前記貫通部材は、前記導電部と前記手袋の中の指との間で導電可能にする部材である。
（１６）静電容量方式のタッチパネルの操作具を被固定物に固定することにより製造されるスタイラスペンの製造方法であり、前記操作具は、前記タッチパネルに接触するための接触部と、前記接触部との間で導電を可能にする導電部と、前記操作具を被固定物に固定するための固定部とからなる本体部と、を備え、前記接触部は、導電素材で形成され、且つ、前記タッチパネルが感知可能な面積を有し、前記接触部を、前記被固定部の端部から突出するように前記被固定物に固定する。
（１７）静電容量方式のタッチパネルの操作具を収納することが可能な端末機器の保護ケースであり、前記操作具は、前記タッチパネルに接触するための接触部と、前記接触部との間で導電を可能にする導電部と、前記操作具を被固定物に固定するための固定部とからなる本体部と、を備え、前記接触部は、導電素材で形成され、且つ、前記タッチパネルが感知可能な面積を有し、前記保護ケースは、前記操作具を収納可能な凹部または空間を有する。
（１８）静電容量方式のタッチパネルの操作具を収納することが可能な端末機器用のストラップであり、前記操作具は、前記タッチパネルに接触するための接触部と、前記接触部との間で導電を可能にする導電部と、前記操作具を被固定物に固定するための固定部とからなる本体部と、を備え、前記接触部は、導電素材で形成され、且つ、前記タッチパネルが感知可能な面積を有し、前記ストラップは、前記操作具を収納可能な凹部または空間を有する。
（１９）静電容量方式のタッチパネルの操作具であり、前記タッチパネルに接触するための接触部と、手袋の隙間を貫通する貫通部材と、を備え、前記接触部は、導電素材で形成され、且つ、前記タッチパネルが感知可能な面積を有し、前記貫通部材は、前記接触部と前記手袋の中の指との間で導電させることが可能な素材で形成されている。
【発明の効果】
【０００７】  本発明を利用すれば次のような効果が得られる。
（１）油膜除去成分を有する素材を使用する必要がないので、低コストで操作具を製造することができる。
（２）接触部が被固定物の先端から突出するので、指先に怪我をしている人や、爪を伸ばしている人でも容易にスマートフォン等を操作することができる。
（３）ストローなどの被固定物に巻き付けるようにしっかりと固定することができる。
（４）手袋を使用している人でもスマートフォン等を操作できる。
【図面の簡単な説明】
【０００８】
【図１】  操作具の使用例を表した図である。
【図２】  操作具の底面図である。
【図３】  操作具の側面図である。
【図４】  巻き付け部を有する操作具を表した図である。
【図５】  操作具を棒状部材に固定した例を表した図である。
【図６】  操作具をリング状部材に固定した例を表した図である。
【図７】  操作具を貫通部材に固定した状態を表した図である。
【図８】  保護ケースの一部を表した図である。
【図９】  ストラップを表した図である。
【図１０】  操作具のその他の例を表した図である。
【発明を実施するための形態】
【実施例】
【０００９】  本発明の実施例１を図に基づいて説明する。
図１の符号１は、静電容量方式のタッチパネルを操作するための操作具である。
この操作具１は、薄いフィルム状の操作具であり、指１１の上面（爪側の面）に貼り付けて使用するものであり、操作具１の先端部をスマートフォンやタブレット端末のタッチパネル１２に接触させることによりスマートフォンやタブレット端末を操作するものである。なお、指１１の下面（爪と反対側の面）に貼り付けて使用することも可能である。【００１０】  操作具１の詳細を図２に基づいて説明する。
図２は、操作具１の底面図である。操作具１は導電素材（静電気を通すことが可能なフィルム状の素材）で形成されており、本体部２とその先端を形成する接触部３（タッチパネル１２に接触する部分）とからなる。
本体部２の裏面には、操作具１を被固定物（指や物など）に固定するための固定部４が備えられている。
固定部４とは接着剤であり、この接着剤は付箋紙のように脱着が容易な接着剤が好ましい。すなわち、貼り付けることが容易であると共に剥がすことも容易な接着剤が好ましい。また、固定部４は導電素材で形成されることが好ましいが、これに限るものではない。なお、固定部４は接着剤に限るものではなく、操作具１を被固定物に固定できるものであれば他の物でもよい。
固定部４は操作具１を指１１または物１３に固定した際に、接触部３を、指１１または物１３の端部から突出させることが可能な位置に設けられている（図１、図５）。【００１１】  なお、前述の通り、操作具１は導電素材で形成されているので、本体部２も接触部３も当然導電素材である。よって、本実施例では本体部２全体が導電部となり、接触部２との間で導電可能（静電気を通すことが可能）となっている。なお、本実施例のように本体部２と接触部３とを同一の素材で形成すれば、非常に製造コストを安くすることができる。
また、本体部２は、本体部２を指１１やストロー１３に巻き付ける方向（外周方向）に湾曲させることができる可撓性のある素材で形成されることが好ましい。湾曲させることにより指１１との固定部分を大きくすることができ、指１１などにしっかりと固定できるからである。【００１２】  接触部３は、タッチパネル１２の表面に接触させる部分である。この接触部３は、本体部２の先端部を形成する四角形の面であり、一定の面積を有する。静電容量方式のタッチパネル１２は、指などがタッチパネル１２に触れることにより静電気容量の変化が起こり、これにより指などが触れたこと及び触れた位置を感知するのであるが、静電容量の変化はタッチパネル１２に一定以上の面積の面が接触しないと起こらない（例えば、指の先端だけが触れても静電容量の変化は起きない）。よって、接触部３は、静電容量方式のタッチパネル１２が感知可能な面積、すなわちタッチパネル１２に触れた位置に、静電気容量の変化を起こすことが可能な面積を有する必要があるのである。【００１３】  接触部３は、接触部３の表面方向または裏面方向に反り返ることが可能であり、タッチパネルに押し当てられた際に、上記の面積をタッチパネル１２に接触させることが可能な可撓性のある素材であることが好ましい。反り返ることによりタッチパネル１２に接触部１３の先端がぶつかることがなくなり、操作がしやすいからである。更に、接触部３の横幅は本体部３より狭くなっている方が好ましい。本体部３は被固定物にしっかりと固定できるよう幅広のものが好ましいが、接触部３が本体部２のように幅広になるとタッチパネル１２を隠す部分が必要以上に多くなり、操作が難しくなるからである。【００１４】  次に、操作具１の使用方法等について説明する。
図１のように指１１に操作具１１を固定する。その際、接触部３が指１１の先端から突出するように固定する。接触部３をタッチパネル１２に押しつけることにより人体の静電気が導電部材で形成された操作具１を介してタッチパネル１２に伝わる。これによりタッチパネル１２がタッチされたことおよびその位置を感知し、スマートフォンの操作が可能になる。【００１５】  図３は、操作具１の側面図であり、操作具１の裏面に固定部４が設けられている。
図４は、本体部２の両側面から外側に伸びる巻き付け部５が備えられ、巻き付け部５には巻き付け用の固定部６が備えられている。これを設けることにより操作具１を指１１や物１３に巻き付けるように固定できるため、しっかりと固定でき、操作中に操作具１が外れてしまうことを防止できる。【００１６】  図５は、操作具１を指１１ではなく、ストローなどの棒状部材や筒状部材（物１３）に固定した図である。ストローなどの筒状部材に固定すれば極めて軽量なスタイラスペン（操作具１を固定したスタイラスペン）となり、市販のスタイラスペンのような重たいスタイラスペンを持つことができない障害者や高齢者に最適なスタイラスペンにすることができる。なお、本実施例のスタイラスペンの「握り部」はストローの真ん中近辺であるが、この握り部は部材の長さ等により変動するが、導電部（本体部２）はその握り部の部分まで設けられるものである。
図６は、リング状部材１４に操作具１を固定したものである。リング状部材１４に固定すればしっかりと操作具１を保持でき、確実にタッチパネル１２を操作できる。なお、リング状部材１４は、導電素材で形成されることが好ましいが、これに限るものではない。【００１７】  図７は、操作具１を貫通部材２０に固定した図である。
貫通部材２０は、導電素材で形成され、土台部２２と土台部２２から複数の棒状部材が垂直方向に伸びる櫛部２１とからなる。櫛部２１を、例えば毛糸製の手袋の隙間に貫通させれば、手袋の中の指１１とタッチパネル１２との間で導電するので、手袋を付けたままスマートフォン等を操作できる。なお、櫛状部材６は、手袋を貫通して指１１とタッチパネル１２との間で導電することが可能な長さや細さが必要である。【００１８】  図８は、スマートフォン等の保護ケース３０の側面の一部を表した概略図である。
保護ケース３０の外側面には凹部３２に設けられており、凹部３２に、重ね合わせた操作具１を収納できる。これによりスマートフォン等と共に操作具１を携帯できる。なお、凹部３２に蓋を設けて操作具１を収納できる空間にしてもよい。【００１９】  図９は、スマートフォン等に取り付けるストラップ４０の概略図である。
ストラップ４０の表面には凹部４１に設けられており、凹部４１に重ね合わせた操作具１を収納できる。これによりスマートフォン等と共に操作具１を携帯できる。なお、凹部４２に蓋を設けて操作具１を収納できる空間にしてもよい。【００２０】  図１０は、上記の接触部３に上記の櫛部２１（貫通部材）を垂直方向に取り付けた操作具１である。このようにしても手袋を付けたままスマートフォン等を操作できる。【００２１】  上記実施例では、特定の例に基づいて本発明の内容を説明したが、本発明はこれに限るものではない。すなわち、本発明の趣旨に沿うものであれば、上記実施例と異なる素材等であってもよい。
【符号の説明】
【００２２】１    操作具
２    本体部
３    接触部
４    固定部
５    巻き付け部
６    巻き付け用の固定部
１１  指
１２  タッチパネル
１３  物（ストロー）
２０  貫通部材
２１  櫛部
２２  土台部
３０  保護ケース
３１  保護ケースの外面
３２  凹部
４０  ストラップ
４１  凹部
【図１】
2017084316.tif 000003
【図２】
2017084316.tif 000004
【図３】
2017084316.tif 000005
【図４】
2017084316.tif 000006
【図５】
2017084316.tif 000007
【図６】
2017084316.tif 000008
【図７】
2017084316.tif 000009
【図８】
2017084316.tif 000010
【図９】
2017084316.tif 000011
【図１０】
2017084316.tif 000012